(57)【要約】【課題】簡単な構造で、かつ戸枠への施工工事が不要で、確実に施錠忘れを防止することができる施錠忘れ防止装置および施錠忘れ防止装置の設置方法を提供する。【解決手段】施錠忘れ防止装置１は、戸枠Ｔへ取り付けられる永久磁石２と、扉Ｄに取り付けられる装置本体３とから構成されている。装置本体３は、永久磁石２からの磁気を検知するリードスイッチ３１と、扉ＤのサムターンＳの施錠状態を検知するマイクロスイッチ３２と、居住者に施錠忘れを注意喚起するブザー３４とが箱状の筐体に格納されたものである。ブザー３４には、リードスイッチ３１とマイクロスイッチ３２と電池３３とが直列に接続されていることで、リードスイッチ３１が永久磁石２の磁気を検知し、かつマイクロスイッチ３２がサムターンＳの解錠状態を検知したときに鳴動する。【選択図】図２
2011184968.tif 000002
【特許請求の範囲】
【請求項１】
戸枠へ取り付けられる永久磁石と、
扉側に取り付けられる装置本体であって、前記永久磁石からの磁気を検知する第１検知手段、扉のサムターンの施錠状態を検知する第２検知手段、前記第１検知手段が磁気を検知し、かつ前記第２手段が解錠状態を検知したことを居住者に報知する報知手段を備えた装置本体とを備えたことを特徴とする施錠忘れ防止装置。
【請求項２】
前記第１検知手段は、前記永久磁石からの磁気を検知して開放となる第１スイッチ手段であり、
前記第２検知手段は、前記サムターンが施錠状態のときに前記サムターンが当接して開放となり、解錠状態のときに前記サムターンが離れて短絡となる第２スイッチ手段であり、
前記報知手段は、前記第１スイッチ手段と、第２スイッチ手段との短絡により鳴動するブザーである請求項１記載の施錠忘れ防止装置。
【請求項３】
前記第１検知手段は、前記永久磁石からの磁気を検知して開放となる第１スイッチ手段であり、
前記第２検知手段は、前記サムターンに設けられたサムターン側永久磁石が、前記サムターンと共に回動し、施錠状態のときに前記サムターン側永久磁石が接近して、前記サムターン側永久磁石の磁気が検知されることで開放となり、解錠状態のときに前記サムターン側永久磁石が離れて前記サムターン側永久磁石の磁気が非検知となることで短絡となる第２スイッチ手段であり、
前記報知手段は、前記第１スイッチ手段と、第２スイッチ手段との短絡により鳴動するブザーである請求項１記載の施錠忘れ防止装置。
【請求項４】
前記装置本体は、前記第１検知手段がデッドボルト側に配置され、前記第２検知手段と前記報知手段とが前記サムターンを挟んで前記デッドボルト側とは反対となる側に配置され、これらを収納する箱状の筐体に前記サムターンの回動範囲が確保された円筒形状の空間が設けられている請求項１から３のいずれかの項に記載の施錠忘れ防止装置。
【請求項５】
金属製の扉に設けられたサムターンと略同じ高さ位置の戸枠へ永久磁石を自磁力により貼り付け、
前記永久磁石からの磁気を検知する第１検知手段がデッドボルト側に配置され、前記扉の施錠および解錠を行うサムターンの施錠状態を検知する第２検知手段と前記第１検知手段が磁気を検知し、かつ前記第２手段が解錠状態を検知したことを居住者に報知する報知手段とが前記サムターンを挟んで反対となる側に配置され、前記第１検知手段と前記第２検知手段と前記報知手段とを収納する箱状の筐体に、前記サムターンの回動範囲が確保された円筒形状の空間が設けられた装置本体を、前記サムターンに前記円筒形状の空間を位置合わせして、両面テープにより前記扉に貼り付けて固定することを特徴とする施錠忘れ防止装置の設置方法。
【発明の詳細な説明】
【技術分野】
【０００１】
本発明は、盗難を防止するために玄関で使用される施錠忘れ防止装置および施錠忘れ防止装置の設置方法に関するものである。
【背景技術】
【０００２】
窃盗犯は、外出している住宅を捜し侵入して金品を盗む。従って、財産を守るためには、窃盗犯の侵入を防止することが重要であり、玄関等人が出入りする個所に施錠することが最も有効な手段である。施錠をすることにより、窃盗犯が解錠するに時間を要し、その間に人目についたり、解錠が不可であったりして、防犯効果がある。
しかし、居住者が外出するときに施錠を忘れてしまっては、せっかくの錠前も役に立たない。このような施錠忘れを防止するための装置が特許文献１として知られている。
【０００３】
この特許文献１に記載の防犯装置は、本出願人によるもので、閉じた状態にある扉のサムターンを解除する方向へ回動させるとデッドボルトが扉へ格納されるが、これにより、デッドボルトがスイッチから離れて、スイッチが導通状態となり、ブザーに対し電池から電流が流れて鳴動することで、使用者が外出するときに注意喚起して施錠忘れを防止するものである。
【０００４】
また、防犯を目的としたものとして、窓の施錠に関する装置ではあるが、特許文献２に記載されたものが知られている。
この特許文献２に記載の防犯システムは、クレセント錠の施錠状態をロックするロック手段（スライドレバー）の状態を検知する検知部と、マグネット（磁石）の磁気により窓の開閉状態を検知する検知部とを内蔵して、窓が閉まっている状態でガラスに孔をあけて、クレセント錠の施錠状態をロックするスライドレバーが解除された場合や、又は窓体が破壊されて、クレセント錠が施錠状態なのに窓が開けられた場合に、警報音により報知するものである。
【先行技術文献】
【特許文献】
【０００５】
【特許文献１】特許第４３４６３０４号公報
【特許文献２】特開２００４−２３２２９３号公報
【発明の概要】
【発明が解決しようとする課題】
【０００６】
特許文献１に記載の防犯装置は、居住者が外出するときに施錠されていなければ居住者に注意喚起して施錠忘れを防止するという点においては有効に機能する。しかし、デッドボルトが扉へ格納されることで離れ導通状態となるスイッチをストライクボックスに設ける構成であるため、戸枠への設置工事が必要であり、ストライクボックスの大きさが大きく取れず、スイッチの配置が困難な戸枠では、設置が難しいという面がある。
【０００７】
特許文献２に記載の防犯システムでは、窓側に磁石を設け、この磁石を検知することで窓の開閉状態を検知しているため、検出機構は簡便ではあるが、窓の施錠状態の検知をクレセント錠をロックするスライドレバーで行っているため、窓が閉まった状態でガラスに孔をあけて、クレセント錠の施錠状態をロックするスライドレバーを解除するような不法な侵入は検知できるが、単に窓の施錠を忘れて外出してしまったことを防止することはできない。
【０００８】
そこで本発明は、簡単な構造で、かつ戸枠への施工工事が不要で、確実に施錠忘れを防止することができる施錠忘れ防止装置および施錠忘れ防止装置の設置方法を提供することを目的とする。
【課題を解決するための手段】
【０００９】
本発明の施錠忘れ防止装置は、戸枠へ取り付けられる永久磁石と、扉側に取り付けられる装置本体であって、前記永久磁石からの磁気を検知する第１検知手段、扉のサムターンの施錠状態を検知する第２検知手段、前記第１検知手段が磁気を検知し、かつ前記第２手段が解錠状態を検知したことを居住者に報知する報知手段を備えた装置本体とを備えたことを特徴とする。
【００１０】
本発明の施錠忘れ防止装置によれば、扉の開閉状態は戸枠に設けられた永久磁石と装置本体の第１検知手段により検知でき、扉の施錠・解錠状態は第２検知手段により検知できるので、扉が開いている状態や、扉が閉まった状態で、サムターンが施錠状態であれば報知手段による報知はないが、扉が閉まった状態で、サムターンが解錠状態であれば、報知手段による報知により居住者はサムターンの解錠状態を知ることができる。従って、扉を閉めた段階ではサムターンは解錠状態なので、報知手段による報知により居住者は施錠の必要があることが注意喚起される。従って、確実に居住者に対して施錠する行動を促すことができる。また、戸枠側には永久磁石を設置するだけなので、簡単な構造で構成でき、設置工事は不要である。
【００１１】
前記第１検知手段は、前記永久磁石からの磁気を検知して開放となる第１スイッチ手段であり、前記第２検知手段は、前記サムターンが施錠状態のときに前記サムターンが当接して開放となり、解錠状態のときに前記サムターンが離れて短絡となる第２スイッチ手段であり、前記報知手段は、前記第１スイッチ手段と、第２スイッチ手段との短絡により鳴動するブザーとすることができる。
【００１２】
また、前記第１検知手段は、前記永久磁石からの磁気を検知して開放となる第１スイッチ手段であり、前記第２検知手段は、前記サムターンに設けられたサムターン側永久磁石が、前記サムターンと共に回動し、施錠状態のときに前記サムターン側永久磁石が接近して、前記サムターン側永久磁石の磁気が検知されることで開放となり、解錠状態のときに前記サムターン側永久磁石が離れて前記サムターン側永久磁石の磁気が非検知となることで短絡となる第２スイッチ手段であり、前記報知手段は、前記第１スイッチ手段と、第２スイッチ手段との短絡により鳴動するブザーとすることも可能である。
【００１３】
更に、前記装置本体は、前記第１検知手段がデッドボルト側に配置され、前記第２検知手段と前記報知手段とが前記サムターンを挟んで前記デッドボルト側とは反対となる側に配置され、これらを収納する箱状の筐体に前記サムターンの回動範囲が確保された円筒形状の空間が設けられていることが望ましい。
このような箱状の筐体にサムターンの回動範囲が確保された空間を設けた装置本体とすることで、戸枠に永久磁石を取り付け、サムターンに装置本体を設置するだけで、施錠忘れ防止装置を取り付けることができる。
【００１４】
本発明の施錠忘れ防止装置の設置方法は、金属製の扉に設けられたサムターンと略同じ高さ位置の戸枠へ永久磁石を自磁力により貼り付け、前記永久磁石からの磁気を検知する第１検知手段がデッドボルト側に配置され、前記扉の施錠および解錠を行うサムターンの施錠状態を検知する第２検知手段と前記第１検知手段が磁気を検知し、かつ前記第２手段が解錠状態を検知したことを居住者に報知する報知手段とが前記サムターンを挟んで反対となる側に配置され、前記第１検知手段と前記第２検知手段と前記報知手段とを収納する箱状の筐体に、前記サムターンの回動範囲が確保された円筒形状の空間が設けられた装置本体を、前記サムターンに前記円筒形状の空間を位置合わせして、両面テープにより前記扉に貼り付けて固定することを特徴とする。
本発明の施錠忘れ防止装置の設置方法によれば、永久磁石の自磁力で戸枠に貼り付けられ、装置本体は両面テープにより扉に貼り付けられるので、設置のための工事が必要でなく、既に設置された扉に後付で簡単に取り付けることができる。
【発明の効果】
【００１５】
本発明は、扉が閉められた状態で、かつ解錠状態であれば、報知手段が居住者へ施錠忘れを注意喚起するので、確実に施錠忘れを防止することができる。また、本発明は、戸枠側に永久磁石を設けるだけなので、簡単な構造で構成でき、設置工事を不要とすることができる。
【図面の簡単な説明】
【００１６】
【図１】本発明の実施の形態１に係る施錠忘れ防止装置を示す図であり、筐体の蓋を閉めた状態の図である。
【図２】図１に示す施錠忘れ防止装置を示す図であり、筐体の蓋を開けて内部が見える状態の図である。
【図３】図１に示す施錠忘れ防止装置の回路を示す図である。
【図４】本発明の実施の形態２に係る施錠忘れ防止装置を示す図であり、筐体の蓋を開けて内部が見える状態の図である。
【図５】図３に示す施錠忘れ防止装置のサムターン側永久磁石を説明するための斜視図である。
【発明を実施するための形態】
【００１７】
（実施の形態１）
本発明の実施の形態１に係る施錠忘れ防止装置について、図面に基づいて説明する。なお、図２においては、リード線などの配線は省略している。
図１に示すように、施錠忘れ防止装置１は、居住者が外出するときに施錠を忘れることを防止するためのものである。施錠忘れ防止装置１は、戸枠Ｔの戸当たりＴａに設けられた永久磁石２と、扉Ｄの室内側に設けられた装置本体３とを備えている。
【００１８】
永久磁石２は、細長い角棒状に形成され、自磁力により金属製の扉Ｄに取り付けられている。装置本体３は、サムターンＳの回動範囲が確保するために円筒形状の空間３ｘが確保された箱状の筐体３０を備えている。
この筐体３０には、図２に示すように、第１検知手段として機能するリードスイッチ３１と、第２検知手段として機能するマイクロスイッチ３２と、報知手段として機能する電池３３に接続されたブザー３４とが収納されている。
【００１９】
リードスイッチ３１は、磁力を検知すると短絡となり、磁力が検知されないと開放となる第１スイッチ手段である。本実施の形態では、リードスイッチ３１は、サムターンＳを中心としてサムターンＳを回動するストライクボックス（図示せず）へ突出するデッドボルト（図示せず）側に配置されている。
【００２０】
マイクロスイッチ３２は、サムターンＳのつまみＳａが、サムターンＳの回動により水平状態（施錠状態）となったときに、空間３ｘに孔から突出させたレバー３２ａに当接して押下することで開放となり、つまみＳａがレバー３２ａから離れることで短絡となる第２スイッチ手段である。本実施の形態では、マイクロスイッチ３２は、サムターンＳを中心としてデッドボルト（図示せず）側とは反対となる側に配置されている。
【００２１】
ブザー３４は、居住者へ注意喚起するための注意音を発生するものである。本実施の形態では、ブザー３４として圧電ブザーを使用しており、デッドボルト側とは反対となる側に配置されている。
【００２２】
次に、この施錠忘れ防止装置１の回路を図３に基づいて説明する。図３に示すように、施錠忘れ防止装置１は、リードスイッチ３１と、マイクロスイッチ３２と、電池３３と、ブザー３４とが直列に接続されている。従って、本実施の形態では、ブザー３４がリードスイッチ３１と電池３３との間に結線されているが、電池３３とブザー３４とが入れ替わっても、直列接続には変わりはないので問題はない。
【００２３】
以上のように構成された施錠忘れ防止装置１の設置方法を図面に基づいて説明する。
施錠忘れ防止装置１の設置方法は、まず永久磁石２を戸枠Ｔの戸当たりＴａに設置する。この永久磁石２の設置位置は、リードスイッチ３１が永久磁石２の磁力を検知しやすいように、サムターンＳと略同じ高さ位置とする。永久磁石２を戸当たりに設置できないときには、戸枠Ｔであれば内側面に直接設置してもよい。戸枠Ｔが金属製であれば、永久磁石の自磁力により両面テープや接着剤などの接着部材を用いることなく戸枠Ｔに設けることができる。
【００２４】
次に、装置本体３を扉Ｄに設置する。装置本体３の設置は、装置本体３の扉側へ向いた面には予め両面テープの一面側が貼着されているので、両面テープの他面側の剥離紙を剥ぎ取り、露出させた粘着面を扉Ｄに当てて装置本体３を扉Ｄへ押し付けることで固定する。
【００２５】
このように戸枠Ｔに永久磁石２を取り付け、扉Ｄに装置本体３を貼り付けるだけで、施錠忘れ防止装置１を簡単に取り付けることができる。従って、既に戸建てを建築したり、マンションを購入したりしたが、施錠忘れ防止装置が設置されていないために施錠忘れが心配となったときでも、施錠忘れ防止装置１だけを購入して既存の扉Ｄに後付けで設置することができる。
【００２６】
次に、施錠忘れ防止装置１の動作および使用状態を、図面に基づいて説明する。
まず、扉Ｄが閉じた状態で、サムターンＳが施錠状態の場合を説明する。
扉Ｄが閉じた状態では、戸当たりＴａに取り付けられた永久磁石２とリードスイッチ３１とが接近しているため、永久磁石２の磁力を検知したリードスイッチ３１は短絡となる。しかし、サムターンＳが施錠状態であると、水平状態のつまみＳａがマイクロスイッチ３２のレバー３２ａに当接して押下することで、マイクロスイッチ３２が開放となるため、ブザー３４と電池３３とが非導通状態となるので、ブザー３４は鳴動しない。
【００２７】
居住者が外出する際にサムターンＳを解錠状態とすると、サムターンＳのつまみＳａが水平状態から垂直状態へ遷移して、つまみＳａがマイクロスイッチ３２のレバー３２ａから離れることでマイクロスイッチ３２が短絡となる。従って、ブザー３４と電池３３とが導通状態となり、ブザー３４が鳴動する。
【００２８】
ブザー３４が鳴動したこの時点で、居住者は施錠が必要であることを注意喚起される。そして、居住者が扉Ｄを開け、外へ出ると、永久磁石２とリードスイッチ３１とが離れるため、リードスイッチ３１は永久磁石２の磁力が検知できなくなり、開放となって、ブザー３４と電池３３とが非導通状態となるためブザー３４の鳴動は停止する。
【００２９】
そして、居住者が扉Ｄを閉じることで、永久磁石２とリードスイッチ３１とが接近するので、永久磁石２の磁力を検知したリードスイッチ３１は再び短絡となる。従って、解錠状態のサムターンＳによりマイクロスイッチ３２も短絡であるためブザー３４が鳴動して、再び、居住者に施錠が必要であることを認知させることができる。
【００３０】
そして、扉Ｄの外側から鍵（図示せず）によりサムターンＳを回動させて施錠を行うことで、マイクロスイッチ３２が開放となってブザー３４の鳴動が止まるので、居住者は鍵による施錠がブザー３４の鳴動からも確認することができる。
【００３１】
このように、居住者は、外出する際に、サムターンＳを回動させた段階で、一度、ブザー３４が鳴動することで注意喚起されるので、施錠することを確実に思い出させることができる。そして、扉Ｄを開けて外へ出た後に扉Ｄを閉めると再びブザー３４が鳴動して、施錠をせざるを得ない状況となるため、確実に施錠忘れを防止することができる。
サムターンＳの施錠状態または解錠状態を検知する第２スイッチ手段をマイクロスイッチ３２としているので、扉Ｄに何も施すことなく施錠状態または解錠状態を検知することができると共に、回路構成を簡単にできるだけでなく、安価に構成することができる。
また、施錠忘れ防止装置１は、居住者が外出するときの施錠忘れを防止するだけでなく、不法なピッキングが発生したときでも、サムターンＳを解錠した時点でブザー３４が鳴動するので、防犯装置としても機能する。
【００３２】
（実施の形態２）
本発明の実施の形態２に係る施錠忘れ防止装置を図４に基づいて説明する。
実施の形態１では、第２検知手段として機能する第２スイッチ手段として、マイクロスイッチ３２を使用していたが、その代わりに、本実施の形態２に係る施錠忘れ防止装置では、リードスイッチを設けたことを特徴とするものである。なお、図４においては、図１と同じ構成のものは同符号を付して説明を省略する。
【００３３】
図４に示すように、サムターンＳのつまみＳａには、サムターン側永久磁石４が設けられている。このサムターン側永久磁石４は、図５に示すように、つまみＳａ分の隙間を有する断面がコ字状の取付具４ａに、磁石片４ｂがリードスイッチ３５側となるように取付具４ａに嵌め込まれたものである。
リードスイッチ３５は、サムターンＳのつまみＳａが、サムターンＳの回動により水平状態（施錠状態）となったときに、サムターン側永久磁石４からの磁気を検出して開放となり、つまみＳａが垂直状態（解錠状態）となってサムターン側永久磁石４が離れることで短絡となるように機能する。
このように、マイクロスイッチ３２（図２参照）の代わりに、リードスイッチ３５を使用することで、施錠忘れ防止装置１とサムターンＳとの機械的な接触がなくなるため、耐久性を向上させることができる。また、サムターン側永久磁石４はサムターンＳのつまみＳａに嵌め込むだけなので、簡単に取り付けることができる。
【産業上の利用可能性】
【００３４】
本発明の施錠忘れ防止装置および施錠忘れ防止装置の設置方法は、盗難を防止するために玄関で好適に使用することができる。
【符号の説明】
【００３５】
１  施錠忘れ防止装置
２  永久磁石
３  装置本体
３ｘ  空間
３０  筐体
３１  リードスイッチ
３２  マイクロスイッチ
３３  電池
３４  ブザー
３５  リードスイッチ
４  サムターン側永久磁石
４ａ  取付具
４ｂ  磁石片
Ｔ  戸枠
Ｔａ  戸当たり
Ｄ  扉
Ｓ  サムターン
Ｓａ  つまみ
【図１】
2011184968.tif 000003
【図２】
2011184968.tif 000004
【図３】
2011184968.tif 000005
【図４】
2011184968.tif 000006
【図５】
2011184968.tif 000007